(57)【要約】【課題】  都市部に於いては熱の遮断、空気の冷却、コンクリートの保護 、大気浄化、雨水の一時貯留、生物の生息空間の創出等を目的としたビル等の建造物の屋上緑化が切望されている。【解決手段】本発明は、屋上或いは外壁を緑化するための、草本や樹木等の植物を保持育成する構成体であって、予め所定の形状に構成した少なくとも通気性及び透水性を有するシートによって、少なくとも醗酵工程を経た、少なくとも間伐材または建設廃材を原料とする木材チップを含む林産物や穀類副産物などの植物性材料を主とする材料を保持し、該構成体から草本或いは樹木等の植物を育成せしめることによって建築物の屋上或いは外壁を緑化する、屋上緑化資材であり、またこれを用いた屋上緑化工法である。【選択図】図１
2005095021.tif 000002
【特許請求の範囲】
【請求項１】
建築物の屋上或いは外壁を緑化するための、草本や樹木等の植物を保持育成する構成体であって、予め所定の形状に構成した少なくとも通気性及び透水性を有するシートによって、少なくとも醗酵工程を経た、少なくとも間伐材または建設廃材を原料とする木材チップを含む林産物や穀類副産物などの植物性材料を主とする材料を保持し、該構成体から草本或いは樹木等の植物を育成せしめることによって建築物の屋上或いは外壁を緑化する、屋上緑化資材。
【請求項２】
該建築物の屋上或いは外壁を緑化するための、草本や樹木等の植物を保持育成する構成体は、醗酵工程に於いて該資材の形状のまま防草資材として使用され、その使用条件下で醗酵が進んだものを回収して、屋上緑化資材として再利用することを特徴とする請求項１記載の屋上緑化資材。
【請求項３】
建築物の屋上或いは外壁を緑化する工法であって、施工対象たる建築物の屋上に防水施工を施す第一の工程と、予め所定の形状に構成した少なくとも通気性及び透水性を有するシートによって、少なくとも醗酵工程を経た、少なくとも間伐材または建設廃材を原料とする木材チップを含む林産物や穀類副産物などの植物性材料を主とする材料を保持した草本や樹木等の植物を保持育成する構成体を敷設する第二の工程と、該構成体から草本或いは樹木等の植物を育成せしめることによって建築物の屋上或いは外壁を緑化する第三の工程を含むことを特徴とする、屋上緑化工法。
【請求項４】
該建築物の屋上或いは外壁を緑化する工法であって、使用する建築物の屋上或いは外壁を緑化するための、草本や樹木等の植物を保持育成する構成体は、醗酵工程に於いて該資材の形状のまま防草資材として使用され、その使用条件下で醗酵が進んだものを回収して、屋上緑化資材として再利用することを特徴とする請求項３記載の屋上緑化工法。
【発明の詳細な説明】
【技術分野】
【０００１】
本発明は、建築物の屋上或いは外壁を緑化するための、草本や樹木等の植物を保持育成するための屋上緑化資材及びこれを用いた屋上緑化工法に関するものである。
【背景技術】
【０００２】
今般、特に都市部に於いては緑地面積の減少、土壌及び水面のコンクリート被覆面積の増大、更にはエネルギー消費の増大によってヒートアイランド現象等が発生して人間生活が脅かされつつある。同時に二酸化炭素発生量の増加、大気汚染の深刻化などが課題となっている。
【発明の開示】
【発明が解決しようとする課題】
【０００３】
これを解決するため、都市部に於いては熱の遮断、空気の冷却、コンクリートの保護 、大気浄化、雨水の一時貯留、生物の生息空間の創出等を目的としたビル等の建造物の屋上緑化が切望されている。
【０００４】
現在、屋上緑化は各種の研究が行われている。主なものとして、土壌にピートモスなどの添加物を加えて軽量化した上で屋上に堆積し、同時に防水・潅水のための工事を実施する方法がある。しかし、この方法は屋上に於いて防水・潅水のための基礎工事が必要でありコストが高く、また軽量土壌の保持性能・耐流失性能についても非常に問題があった。
他の例として、ウレタン等の材料を用いてマット状に加工した植生マットなども応用されているが、コストが高い上にこれらは本来不自然な化学製品を多用しており、エコロジー的な観点からは不完全なものであると言える。このような例として、特開２００３−２５９７３１等が挙げられる。
【特許文献１】特開２００３−２５９７３１号公報
【課題を解決するための手段】
【０００５】
筆者らは、間伐材や刈り払い草本等の植物性廃棄物を再利用して庭園・路側・法面などの保護防草を行う「チップタイ」（商標登録済）を開発し、上市しているところである。「チップタイ」は自然の発酵効果によって数年間防草効果を発揮した後、植物性充填物は堆肥化する。筆者らは、この堆肥化が進んだチップタイの再利用方法を鋭意検討し、本件発明に到達したものである。
【０００６】
即ち本発明は建築物の屋上或いは外壁を緑化するための、草本や樹木等の植物を保持育成する構成体であって、予め所定の形状に構成した少なくとも通気性及び透水性を有するシートによって、少なくとも醗酵工程を経た、少なくとも間伐材または建設廃材を原料とする木材チップを含む林産物や穀類副産物などの植物性材料を主とする材料を保持し、該構成体から草本或いは樹木等の植物を育成せしめることによって建築物の屋上或いは外壁を緑化する、屋上緑化資材である。
【０００７】
また、本発明は、建築物の屋上或いは外壁を緑化するための、草本や樹木等の植物を保持育成する構成体は、醗酵工程に於いて該資材の形状のまま防草資材として使用され、その使用条件下で醗酵が進んだものを回収して、屋上緑化資材として再利用することを特徴とする。
【０００８】
また、本発明は、建築物の屋上或いは外壁を緑化する工法であって、施工対象たる建築物の屋上に防水施工を施す第一の工程と、予め所定の形状に構成した少なくとも通気性及び透水性を有するシートによって、少なくとも醗酵工程を経た、少なくとも間伐材または建設廃材を原料とする木材チップを含む林産物や穀類副産物などの植物性材料を主とする材料を保持した草本や樹木等の植物を保持育成する構成体を敷設する第二の工程と、該構成体から草本或いは樹木等の植物を育成せしめることによって建築物の屋上或いは外壁を緑化する第三の工程を含むことを特徴とする、屋上緑化工法である。
【０００９】
また、本発明は、建築物の屋上或いは外壁を緑化する工法であって、使用する建築物の屋上或いは外壁を緑化するための、草本や樹木等の植物を保持育成する構成体は、醗酵工程に於いて該資材の形状のまま防草資材として使用され、その使用条件下で醗酵が進んだものを回収して、屋上緑化資材として再利用することを特徴とする、屋上緑化工法である。
【発明の効果】
【００１０】
以上説明したように本発明の方法は、簡便な方法によって安価に熱の遮断、空気の冷却、コンクリートの保護 、大気浄化、雨水の一時貯留、生物の生息空間の創出等を目的としたビル等の建造物の屋上緑化を実現する事が出来、以って産業に多大なる貢献をする事が出来るものである。
【発明を実施するための最良の形態】
【００１１】
本発明は、簡単な構造と植物由来の主に廃棄物として廃棄されている材料を原料として利用し、簡便な方法によって安価に熱の遮断、空気の冷却、コンクリートの保護 、大気浄化、雨水の一時貯留、生物の生息空間の創出等を目的としたビル等の建造物の屋上緑化方法を実現した。
【実施例】
【００１２】
（実施例１）
図１は、本発明の１実施例の略図である。ここでは、本発明にかかる屋上緑化資材の構造の一例を示している。ここで、１１は少なくとも通気性及び透水性を有するシートにより構成された袋、１２は少なくとも醗酵工程を経た間伐材チップ等の充填物である。
【００１３】
ここで、本実施例では、間伐材や刈り払い草本等の植物性廃棄物を再利用して庭園・路側・法面などの保護防草を行う「チップタイ」（商標登録済）を、自然の発酵効果によって数年間防草効果を発揮した後、植物性充填物が堆肥化したものを再利用しており、エコロジーという観点からも非常に有効である。
【００１４】
なお、本発明に係る屋上緑化資材は本実施例の使用済チップタイに限定されるものではなく、予め醗酵室等において醗酵を進めた少なくとも間伐材または建設廃材を原料とする木材チップを含む林産物や穀類副産物などの植物性材料を主とする材料を用いて、新規に袋詰或いはシートによる覆蓋加工を施したものであっても問題ない。
【００１５】
現在までの例として、ウレタン等の材料を用いてマット状に加工した植生マットなども応用されているが、コストが高い上にこれらは本来不自然な化学製品を多用しており、エコロジー的な観点からは不完全なものであると言える。また、（株）構造設計研究所により上市されている「グリーンシステム・レン」など、間伐材等を利用した製品も存在するが、前記と同様にマット状に加工するために多くのコストとエネルギーを使用しており、エコロジー的な観点からは問題があった。
本発明に係る屋上緑化資材はこれらの問題を解決した、安価で且つエコロジカルな製品であると言える。
【００１６】
（実施例２）
次に、本発明に係る屋上緑化資材を用いた屋上緑化工法について説明する。図２は、本発明に係る屋上緑化資材を用いた屋上緑化施工の一例を示す概念図である。２１は本発明に係る屋上緑化資材、２２は防水シート、２３は本発明に係る屋上緑化資材から育成した草本である。
【００１７】
本発明の屋上緑化工法は、施工対象たる建築物の屋上に防水施工を施す第一の工程と、予め所定の形状に構成した少なくとも通気性及び透水性を有するシートによって、少なくとも醗酵工程を経た、少なくとも間伐材または建設廃材を原料とする木材チップを含む林産物や穀類副産物などの植物性材料を主とする材料を保持した草本や樹木等の植物を保持育成する構成体を敷設する第二の工程と、該構成体から草本或いは樹木等の植物を育成せしめることによって建築物の屋上或いは外壁を緑化する第三の工程を少なくとも含んでいる。
【００１８】
具体的に本実施例では、建築物の屋上に防水施工を施す工程として屋上に防水シートを敷設し、次に庭園・路側・法面などの保護防草に使用して植物性充填物が醗酵堆肥化した、少なくとも通気性及び透水性を有するシートによって植物性材料を主とする材料を保持した資材、具体的には「チップタイ」（商標登録済）を敷設し、さらにこの施工部分に散水と草本の播種を行った。
【００１９】
前記の方法を用いることにより、簡便な方法によって安価に熱の遮断、空気の冷却、コンクリートの保護 、大気浄化、雨水の一時貯留、生物の生息空間の創出等を目的としたビル等の建造物の屋上緑化方法を実現することが出来た。
【００２０】
現在までの屋上緑化工法の例として、土壌にピートモスなどの添加物を加えて軽量化した上で屋上に堆積し、同時に防水・潅水のための工事を実施する方法がある。しかし、この方法は屋上に於いて防水・潅水のための基礎工事が必要でありコストが高く、また軽量土壌の保持性能・耐流失性能についても非常に問題があった。
本発明に係る屋上緑化工法はこれらの問題を解決した、安価で且つエコロジカルな工法であると言える。
【産業上の利用可能性】
【００２１】
簡便な方法によって安価に熱の遮断、空気の冷却、コンクリートの保護 、大気浄化、雨水の一時貯留、生物の生息空間の創出等を目的としたビル等の建造物の屋上緑化を実現する事が出来、以って産業に多大なる貢献をする事が出来るものである。
【図面の簡単な説明】
【００２２】
【図１】本発明にかかる屋上緑化資材の例を示す略図である。（実施例１）
【図２】本発明にかかる屋上緑化施工の一例を示す概念図である。（実施例２）
【符号の説明】
【００２３】
１１    少なくとも通気性及び透水性を有するシートにより構成された袋
１２    少なくとも醗酵工程を経た間伐材チップ等の充填物
２１    屋上緑化資材
２２    防水シート
２３    屋上緑化資材から育成した草本
【図１】
2005095021.tif 000003
【図２】
2005095021.tif 000004